(57)【要約】【課題】  この発明によって、一切の化石燃料のいらないエネルギーシステムを創出する。【解決手段】  この機械は、長い板、フレーム、おもり、伸縮自在のじゃばら状の部品によってできていて、これらの部品を使用した機械によってこの問題を解決する。【選択図】図１
2010031824.tif 000002
【特許請求の範囲】
【請求項１】
余剰の力を生み出す機械
【発明の詳細な説明】
【技術分野】
【０００１】  本発明の属する技術分野はエネルギー生産技術である。
【発明が解決しようとする課題】
【０００２】  この発明によって、一切の化石燃料のいらないエネルギーシステムを創出する。
【課題を解決するための手段】
【０００３】  ここで使用される図面［図１］は簡略図であり、実際はそれぞれの部品は相応の厚みや幅を持つが、図面［図１］では１長い板と４伸縮自在のじゃばら状の部品を線で描いている。この機械には１長い板があり、その中央に支点を置く。その支点を２フレームで支え、支点となる部分の２フレーム側と１長い板に軸と軸受け（どちらがどちらでも良い）を設け、１長い板が支点を中心に回転するようにする。
【０００４】  ４伸縮自在のじゃばら状の部品は以下の様なものである。ある程度硬い物質で作られた同じ長さで同じ幅のある板を２つ用意する。そしてその板は図面の手前には板の薄い面が向くようにし、幅のある面は地面と空をむくようにし、観察する人間には「Ｘ」の形状に見えるように重ねる。すると観察者から見て一方が手前になり一方が奥になる。
【０００５】  その「Ｘ」の形にしたものを複数個並べる。そして前から見た場合「Ｘ」の形状の板の端の部分が、隣り合った「Ｘ」状のものと重なるようにする。前から見ると「Ｘ」状に見える２つの板は右側が上に位置するものと右側が下に位置するものとにわけ、一方が手前になり一方が奥になるようにする。
【０００６】  そして「Ｘ」状の板の中心の交わる部分と「Ｘ」状のものを並べて「Ｘ」の端っこ同士で重なり合っている部分を、どちらか一方が軸受けになり、どちらか一方が軸になるようにする。「Ｘ」状の右上がりの板を手前に配置し「Ｘ」状の右下がりの板を奥に配置した場合、その並び方で「Ｘ」状の中心の接点も接することになる。
【０００７】  そのようにすると４伸縮自在のじゃばら状の部品ができあがる。
【０００８】  そして一番左の「Ｘ」状の部分の左斜め下に伸びる板を１長い板の一部にする。
【０００９】  長い板の左側一方には３おもりを付け、右側一方は４伸縮自在のじゃばら状の部品にする。そして４伸縮自在のじゃばら状の部品の端に５おもりをつける。まずは５おもりが上の位置になり３おもりが下の位置になるようにし、長い板をほぼ垂直の状態にする。その状態を保つためには何かで１長い板をおさえていなければならない。おさえをはずすと長い板は支点を中心に［図１］では右回転を始める。４伸縮自在のじゃばら状の部品は板が垂直に限りなく近いときには最小限の長さに縮まっているが、１長い板が右回転を始めると、４伸縮自在のじゃばら状の部品は徐々に水平に伸び、長い板が水平に近づくに従って、［図１］では４伸縮自在のじゃばら状の部品は右に伸びる。１長い板は支点を中心に回転を続け、１長い板が水平に限りなく近くなったときに４伸縮自在のじゃばら状の部品は最大に伸びる。１長い板が水平に限りなく近くなったときに３おもりと５おもりは高さがほとんど等しくなる。４伸縮自在のじゃばらにより、梃子の原理で５おもりの方が３おもりよりも支点から遠い場所に位置するために、５おもりには沈みこむ力が働き続け３おもりは浮き上がっていくことになる。この運動によって余剰のエネルギーが生まれる。この運動を重ねて行けば、位置エネルギーは一定のまま高いエネルギーを産出することが可能となる。
【００１０】  そして、１長い板は、ジャバラが最も縮んでいるときには支点を中心に左右の重さのバランスが均等になるようにし、３おもりと５おもりは同じ重さである場合は、両方のおもりは重ければ重いほど、この装置はスムーズに機能する。３おもりより５おもりの方が重い場合は、この装置が機能するために、３おもりと５おもりの重さには適宜な重量が必要とされる。その場合も両方のおもりは重ければ重いほどにこの装置はスムーズに機能する。
【図面の簡単な説明】
【００１１】
【図１】この装置の全体図である。
【符号の説明】
【００１２】１  長い板
２  フレーム
３  おもり
４  伸縮自在のじゃばら状の部品
５  おもり
【図１】
2010031824.tif 000003
【手続補正書】
【提出日】平成20年10月21日(2008.10.21)
【手続補正１】
【補正対象書類名】明細書
【補正対象項目名】全文
【補正方法】変更
【補正の内容】
【発明の詳細な説明】
【技術分野】
【０００１】  本発明の属する技術分野はエネルギー生産技術である。
【発明が解決しようとする課題】
【０００２】  この発明によって、一切の化石燃料のいらないエネルギーシステムを創出する。
【課題を解決するための手段】
【０００３】  ［図１］は簡略図であり、実際はそれぞれの部品は相応の厚みや幅を持つが、［図１］では１シャフトと４伸縮自在のじゃばら状の部品を線で描いている。この機械には１シャフトがあり、その中央に支点を置く。その支点を２フレームで支え、支点となる部分の２フレーム側と１シャフトの接する面に軸と軸受けを設け、１シャフトが支点を中心に回転するようにす
【０００４】  ４伸縮自在のじゃばら状の部品は以下の様なものである。ある程度硬い物質で作られた同じ長さで同じ幅のある板をまずは２つ、それを２組用意する。そしてその板は図面の手前には板の薄い面が向くようにし、幅のある面は地面と空をむくようにし、２つの板を観察する人間には一方は「Ｖ」の形状に見えるようにし、一方は「Λ」のような形状にする。それらを重ねあわせ一方は観察者から見て手前になるようにし、一方が奥になるようにする。すると、「Ｘ」の形状のものを２つ並べて、左右の「Ｘ」の文字の、左側の文字は右端（上下２点）、右側の文字は左端（上下２点）を接合させた形となる。
【０００５】  それらの「Ｖ」を一つから複数ならべ、複数個の場合は文字の端の部分を隣の端の部分とつなげ合わせその部分を蝶番にする。「Λ」も一つから複数ならべ、複数個の場合は文字の端の部分を隣の端の部分とつなげ合わせその部分を蝶番にする。その要領で「Ｖ」の字のものと「Λ」の字のものを１つから複数個同じ数並べる。そのようにすると「Ｖ」が一つから複数並んだものと「Λ」が一つから複数数並んだものの２つの部品が出来上がる。そしてそれらの「Ｖ」と「Λ」ひとつひとつが前述のようにＸを２つ並ばせたような形にする。「Ｖ」「Λ」のその文字の中央の線が接合している部分は蝶番にし、可動するようにして観察者から見た場合回転運動をするようにする。「Ｘ」のようになって重ね合わさっている部分は２つの線に分けられるが、「Ｖ」が一つから複数並んだ部品と「Λ」が一つから複数並んだ部品のどちらか一方が手前で他方が奥になるようにする。「Ｘ」状に重ね合わさっている部分のどちらかを軸受けとし、一方を軸とする。
【０００６】  その軸受けとなる部分が「Ｘ」状の奥の部品となる場合は手前の部品を軸として、軸が奥のほうに突き出した形として、奥の軸受けに嵌め込むようにする。すると、蝶番の部分と軸・軸受けの部分は観察者から見て回転するようになる。「Ｘ」の部分は、どちらが軸でどちらが軸受けになるかは、別段決まりは無い。
【０００７】  そのようにすると４伸縮自在のじゃばら状の部品ができあがる。
【０００８】  そして一番左の「Λ」状の部分の左斜め下に伸びる部分を１シャフトにし、右斜め下に伸びる部分もシャフト状にし、それらのシャフトの適宜な場所を７  ９０度反転させる歯車にする。それぞれの適宜な部分を８軸受けにする（［図２］参照）。「Λ」状の部分の左斜め下に伸びる部分を１シャフトにした場合、そのシャフトは上から見た場合Ｔ字型をしていて（［図４］参照）、左下半分を逆Ｌ字にし、右の部分を真一文字の形にする。それぞれの部品は長い円柱状にする（［図３］［図４］［図５］参照）。２つの７  ９０度反転させる歯車と１シャフトの右上半分は一つの部品として接合させ（［図２］［図３］参照）、１シャフトの左下半分は、上から見た場合Ｌの字を逆さにさせた逆Ｌ字にさせる（［図４］参照）。逆Ｌ字の二つの線は細長い円柱鉄棒状にする。そのシャフトの下半分の突き出た部分を軸として、２フレーム上の６  フレーム上の９０度反転させる歯車に接する突起部の中心の部分に嵌め込むようにして、２フレームのそこと接する部分は軸受けにする。逆Ｌ字の平行線の部分は、シャフトの右上半分から延長した形にする。そして、左半分の逆Ｌ字型のシャフトと真一文字の右半分の部分は円形の面で接するようにし、一方を凸型にし、一方を凹型にし、一方が一方にはめ込まれ、シャフトの右半分の真一文字の部分が回転するようにする（［図５］参照）。そしてΛ型の部分の文字の右半分にあたる部分はシャフトにし、Λ型の頂点の部分とΛ型の右下の部分にある７  ９０度反転させる歯車は１０ベルトを付け、それぞれの歯車が連動するようにする。左端のΛ型の部品の隣のΛの左下部分に位置する７  ９０度反転させる歯車は接する左のΛの右端の７  ９０度反転させる歯車から見て  図面の手前に付けるべきか、図面の奥側に付け７  ９０度反転させる歯車を手前に付けるべきかはどちらの可能性もありえる。
【０００９】  １シャフトの左側一方には３おもりを付け、右側一方は４伸縮自在のじゃばら状の部品にする。そして４伸縮自在のじゃばら状の部品の端に５おもりをつける。まずは５おもりが上の位置になり３おもりが下の位置になるようにし、１シャフトをほぼ垂直の状態にする。その状態を保つためには何かで１シャフトをおさえていなければならない。おさえをはずすと１シャフトは支点を中心に［図１］では右回転を始める。そして装置に６フレーム上の９０度反転させる歯車に接する突起部を設け、１シャフトの一部を７  ９０度反転させる歯車にし、６と７が接するようにする。そして適宜な部分を８軸受けとする。そのようにして、ジャバラが。水平に伸びるようにする。４伸縮自在のじゃばら状の部品は１シャフトが垂直に限りなく近いときには最小限の長さに縮まっているが、１シャフトが右回転を始めると、４伸縮自在のじゃばら状の部品は徐々に水平に伸び、長い板が水平に近づくに従って、［図１］では４伸縮自在のじゃばら状の部品は右に伸びる。１シャフトは支点を中心に回転を続け、１シャフトが水平になったときに４伸縮自在のじゃばら状の部品は最大に伸びる。１シャフトが水平になったときに３おもりと５おもりは高さが等しくなる。そしてその状態を過ぎると、４伸縮自在のじゃばら状の部品は端の部分が図では左方向に縮み始め、１シャフトが、３おもりが上になり５おもりが下の状態で垂直に近くなったときに、４伸縮自在のじゃばら状の部品は、それがほとんど真上にあったときと同じ様に最大限に縮む。４伸縮自在のじゃばらにより、梃子の原理で５おもりの方が３おもりよりも支点から遠い場所に位置するために、５おもりには沈みこむ力が働き続け３おもりは浮き上がっていくことになる。この運動によって余剰のエネルギーが生まれる。この運動を重ねて行けば、位置エネルギーは一定のまま高いエネルギーを産出することが可能となる。
【００１０】  そして、１シャフトは、ジャバラが最も縮んでいるときには支点を中心に左右の重さのバランスが均等になるようにし、３おもりと５おもりは同じ重さである場合は、両方のおもりは重ければ重いほど、この装置はスムーズに機能する。３おもりより５おもりの方が重い場合は、この装置が機能するためには、３おもりと５おもりの重さには適宜な重量が必要とされる。その場合も両方のおもりは重ければ重いほどにこの装置はスムーズに機能する。そして、この装置はシャフトが垂直に近い状態よりも、ある程度水平に近い状態から機能することが考えられる。シャフトの長さは適宜の長さにする。
【００１１】  ４伸縮自在のじゃばら状の部品は以下の様なものにする方法もある。ある程度硬い物質で作られた同じ長さで同じ幅のある板を２つ用意する。そしてその板は図面の手前には板の薄い面が向くようにし、幅のある面は地面と空を向くようにし、観察する人間には「Ｘ」の形状に見えるように重ねる。すると観察者から見て一方が手前になり一方が奥になる。その「Ｘ」の形にしたものを複数個並べる。そして前から見た場合「Ｘ」の形状の板の端の部分が、隣り合った「Ｘ」状のものと重なるようにする。前から見ると「Ｘ」状に見える２つの板は右側が上に位置するものと右側が下に位置するものとにわけ、一方が手前になり一方が奥になるようにする。
そして「Ｘ」状の板の中心の交わる部分と「Ｘ」状のものを並べて「Ｘ」の端っこ同士で重なり合っている部分を、どちらか一方が軸受けになり、どちらか一方が軸になるようにする。「Ｘ」状の右上がりの板を手前に配置し「Ｘ」状の右下がりの板を奥に配置した場合、その並び方で「Ｘ」状の中心の接点も接することになる。そのようにすると４伸縮自在のじゃばら状の部品ができあがる。そして一番左の「Ｘ」状の部分の左斜め下に伸びる板を１長い板の一部にする。長い板の左側一方には３おもりを付け、右側一方は４伸縮自在のじゃばら状の部品にする。そして４伸縮自在のじゃばら状の部品の端に５おもりをつける。まずは５おもりが上の位置になり３おもりが下の位置になるようにし、長い板をほぼ垂直の状態にする。その状態を保つためには何かで１長い板をおさえていなければならない。おさえをはずすと長い板は支点を中心に［図１］では右回転を始める。４伸縮自在のじゃばら状の部品は板が垂直に限りなく近いときには最小限の長さに縮まっているが、１長い板が右回転を始めると、４伸縮自在のじゃばら状の部品は徐々に水平に伸び、長い板が水平に近づくに従って、［図１］では４伸縮自在のじゃばら状の部品は右に伸びる。１長い板は支点を中心に回転を続け、１長い板が水平に限りなく近くなったときに４伸縮自在のじゃばら状の部品は最大に伸びる。１長い板が水平に限りなく近くなったときに３おもりと５おもりは高さがほとんど等しくなる。４伸縮自在のじゃばらにより、梃子の原理で５おもりの方が３おもりよりも支点から遠い場所に位置するために、５おもりには沈みこむ力が働き続け３おもりは浮き上がっていくことになる。この運動によって余剰のエネルギーが生まれる。この運動を重ねて行けば、位置エネルギーは一定のまま高いエネルギーを産出することが可能となる。
【図面の簡単な説明】
【００１２】
【図１】この装置の全体図である。
【図２】この装置の断面図（フレームの６フレーム上の９０度反転させる歯車に接する突起部より手前の部分を削除）である。
【図３】１シャフトの部分の拡大図である。
【図４】１シャフトの上面図である。
【図５】１シャフトの断面図である。
【符号の説明】
【００１３】１  長い板
２  フレーム
３  おもり
４  伸縮自在のじゃばら状の部品
５  おもり
６  フレーム上の９０度反転させる歯車に接する突起部
７  ９０度反転させる歯車
８  軸受け
９  シャフトの右上半分と左半分の接する面
１０  ベルト
【手続補正２】
【補正対象書類名】図面
【補正対象項目名】図２
【補正方法】追加
【補正の内容】
【図２】
2010031824.tif 000004
【手続補正３】
【補正対象書類名】図面
【補正対象項目名】図３
【補正方法】追加
【補正の内容】
【図３】
2010031824.tif 000005
【手続補正４】
【補正対象書類名】図面
【補正対象項目名】図４
【補正方法】追加
【補正の内容】
【図４】
2010031824.tif 000006
【手続補正５】
【補正対象書類名】図面
【補正対象項目名】図５
【補正方法】追加
【補正の内容】
【図５】
2010031824.tif 000007